(57)【特許請求の範囲】
【請求項１】
両端間に開口部が設けられた弧状のクイックファスナ本体を、２本の配管の接続部位に装着して両配管からそれぞれ突出するつば部を結合保持した状態で、前記クイックファスナ本体の開口部両端からそれぞれ外方に向けて突出した一対の挿入ガイド部に対して固定具を装着することで、前記クイックファスナ本体の開口部両端の拡開を前記固定具により防止するようにしたクイックファスナの外れ防止構造であって、
前記固定具は、前記クイックファスナ本体の開口部両端間に跨って装着されるブリッジ形状に形成されていると共に、この固定具の両端部に、前記配管の管軸方向と平行な方向から前記一対の挿入ガイド部に対して差し込み可能な一対の溝部が形成されており、
前記一対の挿入ガイド部は、先端に行く程広がる方向に突出した略ハの字状であり、
前記一対の溝部は、前記配管の管軸方向と平行な方向から見て、前記一対の挿入ガイド部の突出方向と同方向に凹んだ略ハの字状であり、
一対の挿入ガイド部は、一対の溝部に嵌まることで、開く方向と閉じる方向の両方向への動きが拘束されることを特徴とするクイックファスナの外れ防止構造。
【発明の詳細な説明】
【技術分野】
【０００１】
本発明は、クイックファスナの外れ防止構造に関し、詳しくは例えば水道配管、温水配管等の配管を接続する際に、その接続状態を保持するために使用されるクイックファスナの外れ防止構造に関するものである。
【背景技術】
【０００２】
従来、給水給湯管などの配管の管端部に凹凸式の接続部を設け、接続部の根元の外周につば部を突設し、２本の配管同士を凹凸接続した状態で、両つば部の突き合わせ部分をクイックファスナで固定する構造が一般に広く知られている。
【０００３】
従来のクイックファスナは、例えば特許文献１に開示されているように、ヘッダー本体の外周に突設された分岐管の第１フランジとヘッダー本体に取り付けられるバルブ本体の第２フランジとの突き合わせ部分に装着されるクイックファスナ本体と、その開口部に装着される抜止具とから構成されている。抜止具はクイックファスナ本体の開口部に対向する径方向外方から内方に向かって押し込まれる。抜止具がクイックファスナ本体に装着された際には、抜止具の装着部がクイックファスナ本体の挟持孔へ入り込み、装着部の前壁の外面が第１フランジ及び第２フランジの外周に沿って密着されるようになっている。
【０００４】
他の従来例として、例えば特許文献２に開示されているように、接続管の管端と相手方部材との双方に設けたフランジへクリップを装着して抜止を行うようにした管接続部位において、クリップの開口端どうしに跨がってこれを被覆保護するカバー本体部と、前記クリップの開口端どうしが外へ開かないようにクリップの開口端どうしの外周へ接合する部分と、本体部の中央位置で前記フランジの外周へ接合する部分とで管接続用クリップの抜止カバーを構成することが知られている。
【先行技術文献】
【特許文献】
【０００５】
【特許文献１】特開２００４−１５６７５５号公報
【特許文献２】特開平８−２８７７０号公報
【発明の概要】
【発明が解決しようとする課題】
【０００６】
ところが、前記特許文献１に開示されている抜止具は、クイックファスナ本体の挟持孔内に入り込んでいるだけであるため、強い外力が加わった場合は、抜止具がクイックファスナ本体から脱落する恐れがある。また、前記特許文献２に開示されている抜止カバーは、クリップの開口端どうしが外へ開かないように外側から挟みつけているにすぎないため、強い外力が加わった場合は、抜止カバーがクリップから脱落する恐れがある。このため、前記各従来例のいずれにおいても、外力によって接続状態が損なわれて、接続部位から漏水等が発生するという問題がある。
【０００７】
本発明は上記の事情に鑑みてなされたものであって、その目的とするところは、クイックファスナに強い外力が加わった場合であっても、配管の接続部位からの脱落を防止できるクイックファスナの外れ防止構造を提供することにある。
【課題を解決するための手段】
【０００８】
前記の課題を解決するために、本発明は、両端間に開口部が設けられた弧状のクイックファスナ本体を、２本の配管の接続部位に装着して両配管からそれぞれ突出するつば部を結合保持した状態で、前記クイックファスナ本体の開口部両端からそれぞれ外方に向けて突出した一対の挿入ガイド部に対して固定具を装着することで、前記クイックファスナ本体の開口部両端の拡開を前記固定具により防止するようにしたクイックファスナの外れ防止構造であって、前記固定具は、前記クイックファスナ本体の開口部両端間に跨って装着されるブリッジ形状に形成されていると共に、この固定具の両端部に、前記配管の管軸方向と平行な方向から前記一対の挿入ガイド部に対して差し込み可能な一対の溝部が形成されており、前記一対の挿入ガイド部は、先端に行く程広がる方向に突出した略ハの字状であり、前記一対の溝部は、前記配管の管軸方向と平行な方向から見て、前記一対の挿入ガイド部の突出方向と同方向に凹んだ略ハの字状であり、一対の挿入ガイド部は、一対の溝部に嵌まることで、開く方向と閉じる方向の両方向への動きが拘束されることを特徴とする。
【発明の効果】
【０００９】
本発明は、クイックファスナに強い外力が加わった場合であっても、配管の接続部位からのクイックファスナの脱落を防止できるものである。
【図面の簡単な説明】
【００１０】
【図１】本発明の実施の形態の一例を示し、（ａ）はクイックファスナ本体に固定具を取り付けた状態の正面図、（ｂ）は（ａ）の側面図、（ｃ）は２本の配管の接続状態を示す側面断面図である。
【図２】（ａ）は同上のクイックファスナ本体の正面図、（ｂ）は平面図、（ｃ）は側面図である。
【図３】（ａ）は同上の固定具の平面図、（ｂ）は背面図、（ｃ）は正面図、（ｄ）は側面図である。
【発明を実施するための形態】
【００１１】
以下、本発明の実施の形態について、図面を参照しながら説明する。
【００１２】
図１（ａ）（ｂ）は本実施形態のクイックファスナ１を配管１０,１１の接続部位に装着した状態の一例を示し、図１（ｃ）は配管１０,１１の管端部１０ａ,１１ａを凹凸接続した状態を示している。図２は本実施形態のクイックファスナ本体２を示し、図３は本実施形態の固定具６を示している。
【００１３】
本実施形態のクイックファスナ１は、配管１０,１１の接続部位に装着されるクイックファスナ本体２と、クイックファスナ本体２の開きを防止する固定具６とが別体で構成されている。
【００１４】
クイックファスナ本体２は、図２に示すように、ばね性を有する帯状の金属製板材を円弧状に折り曲げて形成されていると共に、その周方向Ａの両端２ａ,２ｂ間に開口部４が設けられている。クイックファスナ本体２の周方向Ａに沿って長孔状の結合スリット３が穿孔されている。この結合スリット３は、両配管１０,１１からそれぞれ突出するつば部１３,１４の突き合わせ部分に嵌め込むことができる開口幅を有しており、両つば部１３,１４は結合スリット３により結合保持される。
【００１５】
クイックファスナ本体２の一部には、指で摘むことができる摘み部２０が外方に膨出形成されている。
【００１６】
クイックファスナ本体２の開口部４の両端２ａ,２ｂからは、それぞれ、外方Ｃ,Ｄに向かって一対の挿入ガイド部５ａ,５ｂが突設されている。これら一対の挿入ガイド部５ａ,５ｂは、先端に行く程徐々に広がる方向に略ハの字状に傾斜している。その傾斜角度α（図２（ａ））は例えば９０°程度とされる。
【００１７】
一方、固定具６は、クイックファスナ本体２の開口部４の両端２ａ,２ｂの拡開を阻止するためのものであり、図３に示すように、１つの射出成型品で形成されている。本例の固定具６は、上記一対の挿入ガイド部５ａ,５ｂ間に跨って装着されるブリッジ部６ｃを備える。ブリッジ部６ｃの両端には、内方に向かって一対の差込部６ｄ,６ｅがそれぞれ略ム字状に折り返し形成されている。
【００１８】
一対の差込部６ｄ,６ｅ内には、上記一対の挿入ガイド部５ａ,５ｂに対してそれぞれ差し込み可能な溝部６ａ,６ｂが形成されている。溝部６ａは、差込部６ｄの先端面６ｇと一側面６ｈ（図３（ｃ））とにそれぞれ開口している。溝部６ｂは、差込部６ｅの先端面６ｇと一側面６ｈ（図３（ｃ））とにそれぞれ開口している。本例の溝部６ａ,６ｂは、それぞれ、差込部６ｄ（６ｅ）の他側面６ｉ（図３（ｂ））には閉塞されている。これら一対の溝部６ａ,６ｂは、配管１０,１１の管軸方向Ｂと平行な方向から見て、上記一対の挿入ガイド部５ａ,５ｂと同方向に且つ同角度で傾斜している。つまり、一対の溝部６ａ,６ｂは、図３（ｂ）（ｃ）に示すように、先端に行く程徐々に狭まる方向に逆ハの字状に傾斜しており、この傾斜角度β（図３（ｂ））は一対の挿入ガイド部５ａ,５ｂの傾斜角度α（図２（ａ））と対応している。
【００１９】
しかして、上記構成のクイックファスナ１を使用するにあたっては、配管１０,１１の管端部１０ａ,１１ａを凹凸接続した状態（図１（ｃ）の状態）で、両つば部１３,１４の突き合わせ部分に結合スリット３を嵌め込むようにして、クイックファスナ本体２を配管１０,１１の接続部位に装着する。その後、固定具６の一対の差込部６ｄ,６ｅを配管１０,１１の管軸方向Ｂと平行な方向から、クイックファスナ１の一対の挿入ガイド部５ａ,５ｂに向けて差し込む。このとき、挿入ガイド部５ａ,５ｂと溝部６ａ,６ｂとが、配管の管軸方向Ｂと平行な方向から見て同じ方向に同じ角度で対応しているので、各溝部６ａ,６ｂ内に各挿入ガイド部５ａ,５ｂがスムーズに挿入されるようになる（図１（ａ）（ｂ）の状態）。この結果、クイックファスナ１の拡開を、差し込み式の固定具６を用いてワンタッチで容易に且つ確実に防止できる構造となる。
【００２０】
また、差込部６ｄ,６ｅの傾斜角度と溝部６ａ,６ｂの寸法精度とを高めることで、挿入ガイド部５ａ,５ｂを差し込んだ際の取り付け精度を高めることができる。つまり、溝部６ａ,６ｂに一対の挿入ガイド部５ａ,５ｂを容易に挿入できるものでありながら、挿入ガイド部５ａ,５ｂは開く方向にも閉じる方向にも、動きが拘束されることとなり、大きな外力が加わった場合でも接続部位から容易に脱落してしまうおそれがなく、接続部位からの流体の漏出防止が図られる。
【００２１】
また、固定具６は配管１０,１１の管軸方向Ｂと平行な方向から差し込むものであるから、両配管１０,１１周辺の空間が狭い場所でも容易に取り付け可能となる。そのうえ溝部６ａ,６ｂの片面側は閉塞されているので、挿入ガイド部５ａ,５ｂの差し込み過多や差し込み不足を生ずることもなくなる。結果、固定具６による拡開防止をワンタッチで且つ確実となり、省施工化を図ることができる。
【００２２】
また本例の固定具６は、樹脂成型品の１部材で形成されるので、部品点数を減らしてコスト削減にも寄与できる。
【００２３】
前記実施形態では、溝部６ａ,６ｂが差込部６ｄ（６ｅ）の一側面６ｈに開口し、他側面６ｉ（図３（ｂ））は閉塞されている場合を例示したが、差込部６ｄの一側面６ｈと他側面６ｉの両方にそれぞれ開口させてもよいものであり、この場合、挿入ガイド部５ａ,５ｂの左右どちらからでも溝部６ａ,６ｂが差し込み可能となり、使い易くなる。
【符号の説明】
【００２４】
１  クイックファスナ
２  クイックファスナ本体
２ａ,２ｂ  開口部両端
３  結合スリット
４  開口部
５ａ,５ｂ  挿入ガイド部
６  固定具
６ａ,６ｂ  溝部
１０,１１  配管
Ａ  周方向
Ｂ  管軸方向
Ｃ,Ｄ  外方
【図１】
0005567902.tif 000002
【図２】
0005567902.tif 000003
【図３】
0005567902.tif 000004